(57)【特許請求の範囲】
【請求項１】
表面に係合歯列を有するバンド部と、該バンド部を挿入するバンド挿入孔の両端に対向する２つの壁板を備え、前記係合歯列を係止する係止爪を有するクリップ本体とから成り、保護部材としてのチューブが外嵌されるワイヤーハーネスを該チューブの外側から結束するチューブ付きワイヤーハーネス用バンドクリップにおいて、
前記壁板のそれぞれの対向面が前記端面側に漸次傾斜する傾斜面を備えていることを特徴とするチューブ付きワイヤーハーネス用バンドクリップ。
【発明の詳細な説明】
【０００１】
【発明の属する技術分野】
本発明は、自動車等の電気系統の接続に使用されるワイヤーハーネスを結束し、車体等のパネルに保持するために使用されるバンドクリップに関し、特にチューブ付きワイヤーハーネスの結束に使用されるチューブ付きワイヤーハーネス用バンドクリップである。
【０００２】
【従来の技術】
従来のバンドクリップの構造を図５及び図６を参照しながら説明する。この種のバンドクリップは、帯状のバンド部３０とバックル機能を備えたクリップ本体４０とから構成されている。このバンド部３０は、その長手方向の表面に形成された複数の係止溝からなる係合歯列３１を備えている。また、クリップ本体４０はバンドを挿通するバンド挿入孔４１と、この挿入孔の対向した両端に直立してワイヤーハーネス５０の受け台となる壁板４２、４２と、バンド挿入孔４１内のバンド部３０の係合歯列３１に係合可能な係止爪４３が形成された逆止手段４４とを備えている。なお、クリップ本体４０の背面には車体等のパネルに穿設された挿入孔に弾性的に嵌入される嵌合クランプ４５と皿ばね形状のスタビライザ４６とが一体に形成されている。
【０００３】
【発明が解決しようとする課題】
ところで、この種のバンドクリップは、バンド部によって締め付ける対象が、図５に示したような平板状のワイヤーハーネス５０においては、車体との接触による断線等の防止や車体の高温部における熱からの保護のために絶縁性のチューブ５０ａが外嵌される場合がある。この場合、チューブ５０ａがバンド部３０によりクリップ本体４０の前壁４７側に巻き込まれ、チューブ５０ａの表面上（図中点線Ａ部分）に擦り傷４８が発生する問題があった。
この擦り傷４８が発生する部分はクリップ本体４０の両側の壁板４２、４２に触れる箇所であり、図６におけるクリップ本体４０の両側の壁板４２、４２とバンド部３０側縁との小さな隙間寸法Ｂが有るために生じるものである。
この隙間寸法Ｂを大きくすると、寸法Ｂに適合した特定の外径のチューブについては擦り傷４８の発生を防ぐことができるが、それより小さい外径のチューブについては保持した際の屈曲が大きくなるため、新たに表面に擦り傷を作ってしまうという問題があった。
【０００４】
本発明の目的は、上記課題を解消することにあり、複数種の外径のワイヤーハーネス締付けに適用でき、チューブの巻き込みを回避し、チューブ表面に擦り傷等が生じることを防止できる汎用性に優れたチューブ付きワイヤーハーネス用バンドクリップを提供することである。
【０００５】
【課題を解決するための手段】
本発明の上記課題は、表面に係合歯列を有するバンド部と、該バンド部を挿入するバンド挿入孔の両端に対向する２つの壁板を備え、前記係合歯列を係止する係止爪を有するクリップ本体とから成り、保護部材としてのチューブが外嵌されるワイヤーハーネスを該チューブの外側から結束するチューブ付きワイヤーハーネス用バンドクリップにおいて、前記壁板のそれぞれの対向面が前記端面側に漸次傾斜する傾斜面を備えていることを特徴とするチューブ付きワイヤーハーネス用バンドクリップによって解決することができる。
【０００６】
前記構成のバンドクリップによれば、壁板のそれぞれの対向面が端面側に漸次傾斜する傾斜面を備えているので、結束したワイヤーハーネスをバンド部で締め付けると、両傾斜面によりワイヤーハーネスと共にチューブが傾斜面に沿って両壁板内に屈曲されるので巻き込みが回避され、チューブ表面に擦り傷が発生するのを防止できる。
また、バンドクリップが適合できるワイヤーハーネスの外径に幅を持たせることができ、１種類のバンドクリップで複数種の外径のワイヤーハーネスの結束に使用できるので汎用性に優れたチューブ付きワイヤーハーネス用バンドクリップを得ることができる。
【０００７】
【発明の実施の形態】
以下、本発明のチューブ付きワイヤーハーネス用バンドクリップの一実施の形態例を図１乃至図４に基づいて詳細に説明する。図１は本発明のバンドクリップの一実施の形態例の全体構成を示す斜視図、図２は図１における部分断面図、図３は図２におけるＣ矢視図、図４は図１におけるチューブを締め付けた状態を示す要部拡大図である。
先ず、本実施の形態のバンドクリップの概略について述べる。図１及び図２に示すようにバンドクリップ１は、バンド部１０とクリップ本体２０とから一体的に構成されている。バンド部１０は、その長手方向の表面に形成された複数の係止孔１１からなる係合歯列１２を備え、裏面にワイヤーハーネスを結束する時、ワイヤーハーネスの横ずれや回転を防止するための複数の係合リブ１３を有している。
【０００８】
クリップ本体２０は、基板２１に沿ってバンド部１０の挿入が可能なバンド挿入孔２２を備え、該バンド挿入孔の両側に対向するように直立する２つの壁板２３、２３が形成されている。この壁板間の幅寸法はバンド部１０の幅寸法よりやや広めに形成されている。また、壁板２３の端面２４は面一に形成され、チューブを締め付けた際、チューブの支持受け面となる。また、クリップ本体２０はバンド挿入孔２２内にバンド部１０の係止孔１１に係止する係止爪２５を有する逆止手段２６が設けられている。この逆止手段の係止状態は、係止爪２５を有する可撓性レバー２７を撓ませるように操作することで解除することができる。
【０００９】
本実施の形態のバンドクリップ１は、図３に示すように壁板２３、２３の内側の対向面に、端面２４側方向の外側に漸次傾斜する傾斜面２８が形成され、端面２４との境界面には丸みがつけられている。なお、クリップ本体２０の背面に車体等のパネルに穿けられた取付孔に弾性的に嵌入される嵌合クランプ３と、パネル面に密着する皿ばね形状のスタビライザ４とがそれぞれ一体的に形成されている。
【００１０】
上述した構成のバンドクリップ１は、図４に示すようにチューブ付ワイヤーハーネス２をバンド部１０により締め付けると、チューブ２ａの形状は図中Ｄ部分に示すような状態になる。即ち、壁板２３に形成された端面２４及び傾斜面２８に接するチューブ２ａは、傾斜面２８の傾斜に沿って両壁板間内に落ち込み、端面２４と傾斜面２８との境界面に沿って屈曲させられ、壁板２３の端面２４上に固定される。
【００１１】
本実施の形態のチューブ付ワイヤーハーネス用バンドクリップ１は、壁板２３、２３のそれぞれの対向面上に端面２４側に漸次傾斜する傾斜面２８を備えている。従って、バンド部１０により締め付けられるチューブ付ワイヤーハーネス２は、傾斜面２８に沿って屈曲されて両壁板２３、２３内に落ち込むので側方に巻き込まれ、かつ擦り傷等の発生が確実に防止される。また、１種類のバンドクリップが適合できるワイヤーハーネスの外径に幅を持たせることができ、特定の１種類のバンドクリップで複数種の外径のワイヤーハーネス結束に使用できるので汎用性に優れたチューブ付きワイヤーハーネス用バンドクリップを得ることができる。
【００１２】
【発明の効果】
以上説明したように本発明のチューブ付ワイヤーハーネス用バンドクリップは、壁板のそれぞれの対向面が端面側に漸次傾斜する傾斜面を備えているので、結束したワイヤーハーネスをバンド部で締め付けると、両傾斜面によりワイヤーハーネスと共にチューブが傾斜面に沿って両壁板内に屈曲されるので巻き込みが回避される。従って、チューブ表面に擦り傷等が発生するのを確実に防止でき、信頼性の高いチューブ付きワイヤーハーネス用バンドクリップを得ることができる。
また、バンドクリップが適合できるワイヤーハーネスの外径に幅を持たせることができ、１種類のバンドクリップで複数種の外径のワイヤーハーネスの結束に使用できる。従って、汎用性に優れたチューブ付きワイヤーハーネス用バンドクリップを得ることができ、部品管理の簡素化を図ることができる。
【図面の簡単な説明】
【図１】本発明のチューブ付ワイヤーハーネス用バンドクリップの一実施の形態例を示す全体斜視図である。
【図２】図１における部分断面図である。
【図３】図２における要部を示すＣ矢視図である。
【図４】図１におけるチューブ付ワイヤーハーネスを締め付けた状態を示す説明図である。
【図５】従来のバンドクリップのチューブ巻き込み状態を示す側面図である。
【図６】図５におけるチューブに擦り傷が発生した状態を示す説明図である。
【符号の説明】
１  バンドクリップ
１０  バンド部
１２  係合歯列
２０  クリップ本体
２２  バンド挿入孔
２３  壁板
２４  端面
２８  傾斜面
【図１】
0003620692.tif 000002
【図２】
0003620692.tif 000003
【図３】
0003620692.tif 000004
【図４】
0003620692.tif 000005
【図５】
0003620692.tif 000006
【図６】
0003620692.tif 000007